(57)【要約】【課題】レンズ系の調整時間を従来よりも短縮することが可能なレンズ系調整装置とレンズ系調整方法を提供する。【解決手段】  １または２以上の調整パターンを含む調整チャート１００の撮像状態に応じてレンズ系１２０を最適化するレンズ系調整装置であって，レンズ系１２０を介して調整チャート１００を撮像する撮像素子１４０と，撮像素子１４０により取得された調整チャート１００の画像データのうち，使用する調整パターンを含む領域以外の画像データを掃き出し処理する画像データ掃き出し部１６２と，画像データ掃き出し部１６２において掃き出し処理された残余の画像データに基づいてレンズ系１２０を調整するレンズ系調整部１８０とを備えるレンズ系調整装置が提供される。【選択図】    図１
2007271726.tif 000002
【特許請求の範囲】
【請求項１】
１または２以上の調整パターンを含む調整チャートの撮像状態に応じてレンズ系を最適化するレンズ系調整装置であって：
前記レンズ系を介して調整チャートを撮像する撮像素子と；
前記撮像素子により取得された調整チャートの画像データのうち，使用する調整パターンを含む領域以外の画像データを掃き出し処理する画像データ掃き出し部と；
前記画像データ掃き出し部において掃き出し処理された残余の画像データに基づいて前記レンズ系を調整するレンズ系調整部と；
を備えることを特徴とする，レンズ系調整装置。
【請求項２】
前記使用する調整パターンは，あらかじめ選択されることを特徴とする，請求項１に記載のレンズ系調整装置。
【請求項３】
１または２以上の調整パターンを含む調整チャートの撮像状態に応じてレンズ系を最適化するレンズ系調整方法であって：
前記レンズ系を介して調整チャートを撮像し，取得された画像のうち，使用する調整パターンを含む領域以外の画像データを掃き出し処理し，前記掃き出し処理された残余の画像データに基づいて前記レンズ系を調整することを特徴とする，レンズ系調整方法。
【発明の詳細な説明】
【技術分野】
【０００１】
本発明は，レンズ系調整装置とレンズ系調整方法とに関する。
【背景技術】
【０００２】
ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を用いたセンサなどの撮像素子を使用した，デジタルカメラをはじめとする撮像装置に用いるレンズ系の調整は，調整するレンズ系を介して，調整のために使用する調整チャートを実際に撮像して行われる。レンズ系調整装置とレンズ系調整方法に係る技術として，例えば，下記に示す特許文献１が挙げられる。
【０００３】
【特許文献１】特開２００５−第８４０９９号公報
【発明の開示】
【発明が解決しようとする課題】
【０００４】
しかしながら，近年，撮像素子が備える画素数が飛躍的に増大し，画素数が現在より少なかった時と比較すると，撮像素子により撮像された調整チャートの画像データ（以下，「撮像画像データ」という。）の大きさが大きくなった。撮像画像データが大きくなるにしたがい，撮像画像データを処理する時間もまた，画素数が現在より少なかった時よりも非常にかかるようになった。レンズ系の調整は，調整チャートを実際に撮像して行われるため，調整チャートを撮像し，撮像画像データを処理する時間の増大は，レンズ系の調整時間の増大へと直接結びつく。したがって，レンズ系の調整時間を短縮するためには，撮像画像データを処理する時間を短縮する必要がある。
【０００５】
そこで，本発明は，上記問題に鑑みてなされたものであり，本発明の目的とするところは，レンズ系の調整にかかる時間を従来よりも短縮することが可能なレンズ系調整装置とレンズ系調整方法を提供することにある。
【課題を解決するための手段】
【０００６】
上記目的を達成するために，本発明のある観点によれば，１または２以上の調整パターンを含む調整チャートの撮像状態に応じてレンズ系を最適化するレンズ系調整装置であって，上記レンズ系を介して調整チャートを撮像する撮像素子と，上記撮像素子により取得された調整チャートの画像データのうち，使用する調整パターンを含む領域以外の画像データを掃き出し処理する画像データ掃き出し部と，上記画像データ掃き出し部において掃き出し処理された残余の画像データに基づいて上記レンズ系を調整するレンズ系調整部とを備えるレンズ系調整装置が提供される。
【０００７】
かかる構成によれば，撮像素子は，調整するレンズ系を介して，１または２以上の調整パターンを含む調整チャートを撮像することにより，調整するレンズ系に応じた調整チャートの画像データを得る。画像データ掃き出し部は，撮像素子により取得された調整チャートの画像データのうち，レンズ系の調整に使用する調整パターンを含む領域以外を掃き出し処理することにより，撮像素子により取得された調整チャートの画像データよりもデータ量の小さい，掃き出し処理された残余の画像データを得る。レンズ系調整部は，画像データ掃き出し部で掃き出し処理された，撮像素子により取得された調整チャートの画像データよりもデータ量の小さい残余の画像データを用いて調整を行うことにより，画像データの表示や編集などにかかる時間を従来よりも短縮することができ，レンズ系の調整にかかる時間を従来よりも短縮することが可能となる。
【０００８】
また，前記使用する調整パターンは，あらかじめ選択されるとしてもよい。
【０００９】
かかる構成によれば，あらかじめレンズ系の調整に使用する調整パターンを選択することにより，調整チャートが含むレンズ系の調整に不要な領域を処理する必要がなくなり，画像データの表示や編集などにかかる時間を従来よりも短縮することができると共に，レンズ系の調整にかかる時間を従来よりも短縮することが可能となる。
【００１０】
また，上記目的を達成するために，本発明の別の観点によれば，１または２以上の調整パターンを含む調整チャートの撮像状態に応じてレンズ系を最適化するレンズ系調整方法であって，上記レンズ系を介して調整チャートを撮像し，取得された画像のうち，使用する調整パターンを含む領域以外の画像データを掃き出し処理し，上記掃き出し処理された残余の画像データに基づいて上記レンズ系を調整するレンズ系調整方法が提供される。
【００１１】
かかる方法によれば，レンズ系を介して調整チャートを撮像して取得された画像のうち，レンズ系の調整に使用する調整パターンを含む領域以外が掃き出し処理された，調整チャートを撮像して取得された画像よりもデータ量の小さい残余の画像データを用いて調整を行うことにより，画像データの表示や編集などにかかる時間を従来よりも短縮することができ，レンズ系の調整にかかる時間を従来よりも短縮することが可能となる。
【発明の効果】
【００１２】
以上説明したように，本発明によれば，撮像画像データのうち，使用する調整パターンを含む領域以外の画像データを掃き出し処理することにより，使用する調整パターンを含む領域以外の画像データを処理する必要がなくなり，レンズ系の調整時間を短縮することが可能となる。
【発明を実施するための最良の形態】
【００１３】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１４】
図１０は，従来のレンズ系調整装置を示すブロック図である。
【００１５】
図１０を参照すると，従来のレンズ系調整装置は，調整対象のレンズ系１２と，撮像素子１４と，画像データ信号処理部１８を含む撮像装置１６と，表示手段２０とを備え，レンズ系１２を介して撮像素子１４により調整チャート１０を撮像する。
【００１６】
従来のレンズ系調整装置では，撮像素子１４により撮像された撮像画像データに相当する信号Ｓ４を，画像データ信号処理部１８で処理し，画像データ信号処理部１８から出力される信号Ｓ５に相当する画像を表示手段２０で表示させ，レンズ系１２の調整が行われる。
【００１７】
従来のレンズ系調整装置では，撮像素子１４により撮像された撮像画像データを画像データ信号処理部１８で処理している。ここで，撮像素子１４により撮像された撮像画像データは，レンズ系１２の調整において不要な領域が含まれるため，レンズ系１２の調整において不要な領域が大きければ大きい程，レンズ系１２の調整に必ずしも必要としない領域に対する不要な処理時間が増大することとなる。
【００１８】
図１は，本発明の実施形態に係るレンズ系調整装置を示すブロック図である。
【００１９】
図１を参照すると，本発明の実施形態に係るレンズ系調整装置は，調整対象のレンズ系１２０と，撮像素子１４０と，画像データ掃き出し部１６２と画像データ信号処理部１６４とを具備する撮像装置１６０と，レンズ系調整部１８０とを備え，レンズ系１２０を介して撮像素子１４０により調整チャート１００を撮像する。
【００２０】
本発明の実施形態に係るレンズ系調整装置にて行われるレンズ系１２０の調整は，ＣＣＤやＣＭＯＳを用いたセンサなどの撮像素子１４０を用い，調整するレンズ系１２０を介して，図２に示すような，調整に用いる調整パターンＰｔ１ａ，Ｐｔ２ａ，Ｐｔ３ａ，Ｐｔ４ａ，Ｐｔ５ａを含む調整チャートを撮像する。本発明の実施形態に係るレンズ系調整装置では，撮像素子１４０により撮像された撮像画像データに相当する信号Ｓ１を，撮像装置１６０が備える画像データ掃き出し部１６２で掃き出し処理し，掃き出し処理された画像データに相当する信号Ｓ２を画像データ信号処理部１６４で処理して，レンズ系調整部１８０でレンズ系１２０の調整が行われる。ここで，画像データ掃き出し部１６２とレンズ系調整部１８０とについては，後述する。
【００２１】
なお，本発明の実施形態に係る調整チャート１００は，調整チャート１００の中央と四隅に，調整パターンＰｔ１ａ，Ｐｔ２ａ，Ｐｔ３ａ，Ｐｔ４ａ，Ｐｔ５ａを含むものに限られず，１つ以上の調整パターンを，調整チャート１００内の任意の位置に配置することができる。また，調整チャート１００が含む調整パターンＰｔ１ａ，Ｐｔ２ａ，Ｐｔ３ａ，Ｐｔ４ａ，Ｐｔ５ａの大きさ，および／または，形状は，調整するレンズ系１２０などに応じて設定されてもよい。
【００２２】
図３は，図２の調整チャートを撮像した画像データが含む調整パターンを示す説明図である。
【００２３】
調整するレンズ系１２０を介して撮像された撮像画像データは，図３に示すように，調整パターンＰｔ１ａ，Ｐｔ２ａ，Ｐｔ３ａ，Ｐｔ４ａ，Ｐｔ５ａが含まれる領域Ｐ１ａ，Ｐ２ａ，Ｐ３ａ，Ｐ４ａ，Ｐ５ａと，水平方向に調整パターンが含まれない領域ＮＰとに分けることができる。
【００２４】
ここで，調整パターンが含まれない領域ＮＰは，調整パターンが含まれないため，レンズ系１２０の調整には不要な領域である。そのため，レンズ系１２０の調整において不要な領域が大きければ大きい程，レンズ系１２０の調整に必ずしも必要としない領域に対する不要な処理時間が増大することとなる。したがって，本発明の実施形態に係るレンズ系調整装置は，このレンズ系１２０の調整において，必ずしも必要としない領域に対する不要な処理時間を要する場合があることを鑑み，撮像装置１６０に不要な領域を処理させないための画像データ掃き出し部１６２を具備する。
【００２５】
図１を参照すると，画像データ掃き出し部１６２は，レンズ系調整部１８０から入力される，レンズ系１２０の調整に使用する調整パターンを規定する信号である調整パターン信号ＰＳに基づいて，撮像画像データに相当する信号Ｓ１のうち，使用する調整パターンを含む領域以外の画像データを掃き出し処理する。ここで，掃き出し処理とは，調整チャートを撮像した撮像素子に蓄積された電荷を除電する処理である。撮像素子に蓄積された電荷を除電することにより，調整チャート１００を撮像し，光電変換して得られた撮像画像データよりもデータ量の小さな画像データが得られる。すなわち，掃き出し処理により，撮像画像データは，掃き出し処理された分だけ，データ量が減少する。したがって，画像データ掃き出し部１６２からは，撮像画像データよりもデータ量の小さな，掃き出し処理された残余の画像データに相当する信号Ｓ２が出力される。なお，レンズ系調整部１８０については，後述する。
【００２６】
図４は，本発明の実施形態に係る掃き出し処理された残余の画像データを示す第１の説明図であり，図５は，図４の掃き出し処理された残余の画像データが含む調整パターンを示す説明図である。
【００２７】
図４を参照すると，掃き出し処理された残余の画像データの第１の実施形態は，掃き出し処理前の画像データと同義である図２と比べて垂直方向にサイズが小さくなっていることがわかる。また，図５を参照すると，掃き出し処理された残余の画像データの第１の実施形態は，調整パターンＰｔ１ａ，Ｐｔ２ａ，Ｐｔ３ａ，Ｐｔ４ａ，Ｐｔ５ａが含まれる領域Ｐ１ａ，Ｐ２ａ，Ｐ３ａ，Ｐ４ａ，Ｐ５ａと，掃き出し処理で生じるノイズに相当する領域Ｄとを含む。ここで，領域Ｄは，掃き出し処理された領域の大きさや調整するレンズ系１２０などに応じて決まる。
【００２８】
掃き出し処理された残余の画像データの第１の実施形態を示す図５と，掃き出し処理前の画像データである図３とを比較すると，掃き出し処理を行うことにより，領域Ａ１に相当する分だけ，掃き出し処理された残余の画像データは，撮像画像データよりも，データの大きさが小さくなることがわかる。なお，図４，図５では，垂直方向のみにサイズが小さくなり，水平方向のサイズは変化していないが，これは，図４が，本発明の実施形態に係る撮像素子として，調整チャートを水平方向に撮像する，例えばＣＣＤを用いた場合の説明図であるからである。したがって，掃き出し処理された残余の画像データを，垂直方向，および／または，水平方向にサイズが小さくすることは，撮像素子の選択や，撮像方法の選択に基づいて適宜行うことができる。
【００２９】
このように，掃き出し処理により，撮像画像データを，撮像画像データよりもデータの大きさが小さな掃き出し処理された残余の画像データとすることができるが，掃き出し処理可能な領域は，係る実施形態に限られない。
【００３０】
図６は，本発明の実施形態に係る掃き出し処理された残余の画像データを示す第２の説明図であり，図７は，図６の掃き出し処理された残余の画像データが含む調整パターンを示す説明図である。
【００３１】
図６を参照すると，掃き出し処理された残余の画像データの第２の実施形態は，掃き出し処理された残余の画像データの第１の実施形態に係る図４よりも，さらに垂直方向にサイズが小さくなっていることがわかる。これは，掃き出し処理された領域が，図５に示す掃き出し処理された残余の画像データの第１の実施形態よりも大きいからである。
【００３２】
また，図７を参照すると，掃き出し処理された残余の画像データの第２の実施形態は，調整パターンＰｔ１ｂ，Ｐｔ２ｂ，Ｐｔ３ｂ，Ｐｔ４ｂ，Ｐｔ５ｂが含まれる領域Ｐ１ｂ，Ｐ２ｂ，Ｐ３ｂ，Ｐ４ｂ，Ｐ５ｂと，掃き出し処理で生じるノイズに相当する領域Ｄとを含む。
【００３３】
掃き出し処理された残余の画像データの第２の実施形態を示す図７と，掃き出し処理前の撮像画像データである図３とを比較すると，掃き出し処理を行うことにより，領域Ａ２に相当する分だけ，掃き出し処理された残余の画像データは，撮像画像データよりもデータの大きさが小さくなることがわかる。
【００３４】
また，図５に示す掃き出し処理された残余の画像データの第１の実施形態に係る，調整パターンＰｔ１ａ，Ｐｔ２ａ，Ｐｔ３ａ，Ｐｔ４ａ，Ｐｔ５ａが含まれる領域Ｐ１ａ，Ｐ２ａ，Ｐ３ａ，Ｐ４ａ，Ｐ５ａと，図７に示す掃き出し処理された残余の画像データの第２の実施形態に係る，調整パターンＰｔ１ｂ，Ｐｔ２ｂ，Ｐｔ３ｂ，Ｐｔ４ｂ，Ｐｔ５ｂが含まれる領域Ｐ１ｂ，Ｐ２ｂ，Ｐ３ｂ，Ｐ４ｂ，Ｐ５ｂとに示すように，本発明の実施形態に係る掃き出し処理は，調整チャートの任意の領域に対して行うことができることがわかる。
【００３５】
上記のように，本発明の実施形態に係る画像データ掃き出し部１６２は，レンズ系調整部１８０から入力される調整パターン信号ＰＳに基づいて，調整チャートの任意の領域を掃き出し処理することができる。
【００３６】
画像データ掃き出し部１６２から出力された信号Ｓ２は，従来のレンズ系調整装置と同様の機能を有する画像データ信号処理部１６４で処理され，信号Ｓ３としてレンズ系調整部１８０に入力される。画像データ信号処理部１６４で処理される信号Ｓ３は，掃き出し処理された残余の画像データに相当するので，画像データ信号処理部１６４における処理時間は，従来のレンズ系調整装置よりも短縮される。
【００３７】
従来のレンズ系調整装置と本発明の実施形態に係るレンズ系調整装置とにおいて，あるレンズ系と６００万画素を備える撮像素子とを用いて，同一の調整チャートを撮像した場合，従来のレンズ系調整装置では，４ｆｐｓ（Ｆｒａｍｅ  Ｐｅｒ  Ｓｅｃｏｎｄ）で撮像された画像が表示手段にて表示されたのに対して，本発明の実施形態に係るレンズ系調整装置は，上記調整チャートにおける調整パターンを含む領域以外の領域を掃き出し処理した場合，１０ｆｐｓで撮像された画像が表示された。なお，上記に挙げた事例は，本発明の実施形態に係るレンズ系調整装置では，従来のレンズ系調整装置よりも２．５倍画像データ信号処理部１６４における処理時間が短縮され，その分レンズ系１２０の調整時間もまた短縮することが可能となることを示すが，調整パターンの選択に応じて，画像データ信号処理部１６４における処理時間短縮の度合いは変化する。すなわち，撮像画像データを，画像データ掃き出し部１６２で掃き出し処理する領域が大きければ大きい程，画像データ信号処理部１６４における処理時間が短縮し，その分レンズ系１２０の調整時間もまた短縮できる。これに対して，撮像画像データを，画像データ掃き出し部１６２で掃き出し処理する領域が小さければ，画像データ信号処理部１６４における処理時間の短縮の度合いは小さく，レンズ系１２０の調整時間短縮への寄与もまた小さくなる。さらに，撮像画像データを，画像データ掃き出し部１６２で全く掃き出し処理しないことも可能である。画像データ掃き出し部１６２で掃き出し処理を行わない場合，画像データ信号処理部１６４における処理時間は，従来のレンズ系調整装置と変わらない。
【００３８】
図８は，本発明の実施形態に係るレンズ調整部１８０を示すブロック図である。
【００３９】
図８を参照すると，本発明の実施形態に係るレンズ調整部１８０は，コンピュータ装置２００と，表示手段としてのモニタ２２０とから構成される。また，本発明の実施形態に係るコンピュータ装置２００は，少なくとも撮像装置制御手段２０２と，画像データ保存手段２０４と，処理選択手段２０６と，画像データ編集手段２０８とを含む。
【００４０】
撮像装置制御手段２０２は，撮像装置１６０の駆動の制御など，撮像装置１６０における様々な制御を行うことが可能である。特に本発明の実施形態に係る撮像装置制御手段２０２は，撮像装置１６０が具備する画像データ掃き出し部１６２へ，使用される調整パターンを規定する信号である，調整パターン信号ＰＳを出力する役割を有する。
【００４１】
また本発明の実施形態に係るレンズ系調整装置は，レンズ調整部１８０としてコンピュータ装置２００を用いるので，コンピュータ装置２００が有する様々な機能を利用することができる。特に，撮像装置１６０から入力された信号Ｓ３を，掃き出し処理された残余の画像データとして保存する画像データ保存手段２０４や，掃き出し処理された残余の画像データを画像処理する機能を含む画像データ編集手段２０８，そして，掃き出し処理された残余の画像データを編集するか否かを切り替える処理選択手段２０６を備える。さらに，本発明の実施形態に係るレンズ調整部１８０は，保存された掃き出し処理された残余の画像データを基に，自動露光制御，オートホワイトバランス，オートフォーカスなどを行うことができる。なお，本発明の実施形態に係るレンズ調整部１８０は，コンピュータ装置２００に限られず，レンズ系１２０の調整に係る，撮像装置１６０の駆動制御や，掃き出し処理された残余の画像データ保存，および／または，編集などの，コンピュータ装置２００が含む機能を有していれば，様々な電子機器を適用することが可能である。
【００４２】
次に，本発明の実施形態に係るレンズ系調整装置を用いたレンズ系調整方法について説明する。本発明の実施形態に係るレンズ系調整装置を用いたレンズ系調整方法は，調整するレンズ系の設置と，調整チャートの撮像と，レンズ系の調整との大きく３つの段階からなる。本発明の実施形態に係るレンズ系調整方法について，図９に示す本発明の実施形態に係るレンズ系調整手順を示す流れ図を用いて説明する。
【００４３】
まずレンズ系調整方法の第１の段階であるレンズ系の設置について説明する。
【００４４】
調整するレンズ系１２０をレンズ系調整装置に設置する（Ｓ１０１）。調整するレンズ系１２０の設置は，手動で行ってもよいし，自動で行うこともできる。
【００４５】
次に，レンズ系調整方法の第２の段階である調整チャートの撮像について説明する。
【００４６】
コンピュータ装置２００が含む撮像装置制御手段２０２は，使用される調整パターンを選択し，撮像装置１６０の画像データ掃き出し部１６２へ，選択された調整パターンに基づく調整パターン信号ＰＳを出力する（Ｓ２０１）。
【００４７】
撮像素子１４０が，調整チャート１００を撮像する（Ｓ２０２）。
【００４８】
撮像装置１６０が含む画像データ掃き出し部１６２が，ステップＳ２０１で出力された調整パターン信号ＰＳに基づいて，使用する調整パターンを含む領域以外の画像データを掃き出し処理する（Ｓ２０３）。
【００４９】
次に，レンズ系調整方法の第３の段階であるレンズ系の調整について説明する。
【００５０】
コンピュータ装置２００が含む画像データ保存手段２０４が，ステップＳ２０３で掃き出し処理された残余の画像データを保存する（Ｓ３０１）。
【００５１】
コンピュータ装置２００が含む処理選択手段２０６が，ステップＳ２０３で掃き出し処理された残余の画像データを編集するか否かを切り換える（Ｓ３０２）。
【００５２】
ステップＳ３０２で，掃き出し処理された残余の画像データを編集すると判定された場合，コンピュータ装置２００が含む画像データ編集手段２０８は，掃き出し処理された残余の画像データを編集する（Ｓ３０３）。
【００５３】
コンピュータ装置２００は，掃き出し処理された残余の画像データに基づく画像，または，ステップＳ３０３で編集された画像データに基づく画像を用いて調整する（Ｓ３０４）。調整する項目としては，テレ端，および／または，ワイド端のダストチェックや，テレ端，および／または，ワイド端のフォーカス移動量調整，テレ端，および／または，ワイド端の解像力調整，テレ端の画像チェックなどが挙げられるが，調整項目は，これらに限られない。
【００５４】
コンピュータ装置２００は，ステップＳ３０４で行ったレンズ系１２０の調整において，レンズ系１２０の不具合が発見されたかどうかを判定する（Ｓ３０５）。レンズ系１２０の不具合が発見された場合は，レンズ系１２０の調整を終了する。
【００５５】
コンピュータ装置２００は，ステップＳ２０３で掃き出し処理された残余の画像データを用いた調整項目が完了したかどうかを判定する（Ｓ３０６）。
【００５６】
ステップＳ３０６において，ステップＳ２０３で掃き出し処理された残余の画像データを用いた調整項目が完了していないと判定された場合，コンピュータ装置２００は，ステップＳ３０１で保存した，ステップＳ２０３で掃き出し処理された残余の画像データを読み出す（Ｓ３０７）。そして，ステップＳ３０２からレンズ系１２０の調整を再度行う。
【００５７】
ステップＳ３０６において，ステップＳ２０３で掃き出し処理された残余の画像データを用いた調整項目が完了したと判定された場合，コンピュータ装置２００は，レンズ系１２０の調整に係る全ての調整項目が完了したかどうかを判定する（Ｓ３０８）。全ての調整項目が完了した場合は，レンズ系１２０の調整を終了する。また，全ての調整項目が完了していない場合は，レンズ系調整方法の第２の段階であるステップＳ２０１からレンズ系１２０の調整を再度行う。
【００５８】
以上のように，本発明の実施形態に係るレンズ系調整装置を用いたレンズ系調整方法は，使用する調整パターンを含む領域以外の画像データを掃き出し処理することにより，レンズ系１２０の調整に必要な掃き出し処理された残余の画像データを処理することができ，不要なデータを処理しない分，レンズ系１２０の調整時間を短縮できる。
【００５９】
また，本発明の実施形態に係るレンズ系調整装置を用いたレンズ系調整方法は，レンズ調整部１８０としてコンピュータ装置２００を用いてレンズ系１２０の調整を行うことにより，掃き出し処理された残余の画像データの保存や編集が容易に可能となり，レンズ系１２０の調整を従来よりもより効率的に行うことが可能となる。なお，本発明の実施形態に係るレンズ調整部１８０は，コンピュータ装置２００に限られず，レンズ系１２０の調整に係る機能を有していれば，どのような形態であっても構わない。
【００６０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００６１】
例えば，図１に示す本発明の実施形態に係るレンズ系調整装置おいて，撮像装置１６０が，レンズ調整部１８０を含むこと，または，レンズ調整部１８０が，複数のコンピュータ装置から構成されることなどは，当業者が容易に変更し得る程度のことであり，本発明の等価範囲に属するものと理解すべきである。
【図面の簡単な説明】
【００６２】
【図１】本発明の実施形態に係るレンズ系調整装置を示すブロック図である。
【図２】本発明の実施形態に係る調整チャートを示す説明図である。
【図３】図２の調整チャートを撮像した画像データが含む調整パターンを示す説明図である。
【図４】本発明の実施形態に係る掃き出し処理された残余の画像データを示す第１の説明図である。
【図５】図４の掃き出し処理された残余の画像データが含む調整パターンを示す説明図である。
【図６】本発明の実施形態に係る掃き出し処理された残余の画像データを示す第２の説明図である。
【図７】図６の掃き出し処理された残余の画像データが含む調整パターンを示す説明図である。
【図８】本発明の実施形態に係るレンズ調整部を示すブロック図である。
【図９】本発明の実施形態に係るレンズ系調整手順を示す流れ図である。
【図１０】従来のレンズ系調整装置を示すブロック図である。
【符号の説明】
【００６３】
１０，１００    調整チャート
１２，１２０    レンズ系
１４，１４０    撮像素子
１６２          画像データ掃き出し部
１８０          レンズ系調整部
【図１】
2007271726.tif 000003
【図２】
2007271726.tif 000004
【図３】
2007271726.tif 000005
【図４】
2007271726.tif 000006
【図５】
2007271726.tif 000007
【図６】
2007271726.tif 000008
【図７】
2007271726.tif 000009
【図８】
2007271726.tif 000010
【図９】
2007271726.tif 000011
【図１０】
2007271726.tif 000012